【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
対象者の睡眠状態をチェックする睡眠チェックシステムであって、  前記対象者に着脱可能な本体部を備え、第一の所定期間ごとに、所定の基準位置からの前記本体部の角度の情報を取得して該角度の情報に依存する前記対象者の身体の向きを検知する検知部と、  前記検知部が検知した対象者の身体の向きを示す姿勢データを収集し、姿勢情報を生成する収集部と、  前記姿勢情報に基づいて、前記対象者の身体の向きを表示する表示部と、 を備え、 前記表示部は、前記収集部から収集した前記姿勢情報が、前記対象者の身体の向きがうつ伏せの状態とうつ伏せ以外の状態とであることを検出し、前記うつ伏せ以外の状態が検出された場合は前記対象者の姿勢を示す情報を表示させ、前記うつ伏せの状態が検出された場合は前記対象者の生命が危険な状態であることを示すアラート情報を出力するように構成することを特徴とする睡眠チェックシステム。
【請求項２】
複数の対象者の睡眠状態をチェックする睡眠チェックシステムであって、  前記対象者に着脱可能な本体部を備え、第一の所定期間ごとに、所定の基準位置からの前記本体部の角度の情報を取得して該角度の情報に依存する前記対象者の身体の向きを検知する検知部と、 前記検知部が検知した対象者ごとの身体の向きを示す姿勢データを収集し、姿勢情報を生成する収集部と、 前記姿勢情報に基づいて、前記対象者ごとの身体の向きを一括で表示する表示部と、 を備え、 前記表示部は、前記収集部から収集した前記姿勢情報が、前記対象者の身体の向きがうつ伏せの状態とうつ伏せ以外の状態とであることを検出し、前記うつ伏せ以外の状態が検出された場合は前記対象者の姿勢を示す情報を表示させ、前記うつ伏せの状態が検出された場合は前記対象者の生命が危険な状態であることを示すアラート情報を出力するように構成することを特徴とする睡眠チェックシステム。
【請求項３】
対象者の睡眠状態をチェックする睡眠チェックシステムであって、 前記対象者に着脱可能な本体部を備え、第一の所定期間ごとに、所定の基準位置からの前記本体部の角度の情報を取得して該角度の情報に依存する前記対象者の身体の向きを検知する検知部と、 前記検知部が検知した対象者の身体の向きを示す姿勢データを収集し、姿勢情報を生成する収集部と、 前記姿勢情報に基づいて、前記対象者の身体の向きを表示する表示部と、 を備え、 前記表示部は、前記収集部から収集した前記姿勢情報が、前記対象者の身体の向きがうつ伏せの状態とうつ伏せ以外の状態とであることを検出し、前記うつ伏せ以外の状態が検出された場合は前記対象者の姿勢を示す情報を表示させ、前記うつ伏せの状態が検出された場合は前記対象者の生命が危険な状態であることを示すアラート情報を出力するように構成され、 前記表示部は、前記表示された対象者ごとの身体の向きに対して、一部又は全ての対象者の確認の入力を受け付けるために設けられた、操作入力部からの確認の入力を受け付けると、前記確認の入力がされた対象者の身体の向きの表示を変更することを特徴とする睡眠チェックシステム。
【請求項４】
前記表示部は、前記対象者の年齢ごと、又は、年齢及び月齢ごとに、前記対象者の身体の向きを表示対象とするか否かを選択して表示することを特徴とする請求項１乃至３の何れか一つに記載の睡眠チェックシステム。
【請求項５】
第二の所定期間、前記収集された姿勢データを記憶する記憶部と、 前記記憶された姿勢データに基づいて、前記対象者の第三の所定期間における寝返りの平均回数を算出する算出部と、 前記対象者について、前記生成された姿勢情報が示す前記第三の所定期間における寝返りの回数と、前記算出された寝返りの平均回数と比較して、前記第三の所定期間において寝返りが多いか否かを判定する判定部と、をさらに備え、 前記表示部は、寝返りの多いと判定された前記対象者の身体の向きの表示を変更することを特徴とする請求項１乃至４の何れか一つに記載の睡眠チェックシステム。
【請求項６】
前記検知部は、第四の所定期間に前記対象者の体温を検知し、 前記収集部は、前記検知部が検知した対象者の体温を示す温度データを収集し、体温情報を生成し、 前記記憶部は、第二の所定期間、前記収集された温度データを記憶し、 前記算出部は、前記対象者について、前記記憶された温度データに基づいて、第五の所定期間における平均体温を算出し、 前記判定部は、前記対象者について、前記算出された平均体温と、前記生成された体温情報が示す体温とを比較して、前記第四の所定期間において体温が通常どおりか否かを判定し、 前記表示部は、前記体温が通常どおりでないと判定された前記対象者の身体の向きの表示を変更することを特徴とする請求項５に記載の睡眠チェックシステム。
【請求項７】
対象者の睡眠状態をチェックする睡眠チェックシステムにおける睡眠チェック方法であって、 前記対象者に着脱可能な本体部を備え、第一の所定期間ごとに、所定の基準位置からの前記本体部の角度の情報を取得して該角度の情報に依存する前記対象者の身体の向きを検知する検知部によって前記検知が行われる検知手順と、 前記検知手順において検知された対象者の身体の向きを示す姿勢データを収集し、姿勢情報を生成する収集部において、前記姿勢データを収集し前記姿勢情報を生成する収集手順と、 前記収集手順において取得された前記姿勢情報に基づいて、前記対象者の身体の向きを表示部に表示させる表示手順と、 を備え、 前記表示手順においては、前記収集手順において収集された前記姿勢情報が、前記対象者の身体の向きがうつ伏せの状態とうつ伏せ以外の状態とであることが検出され、前記うつ伏せ以外の状態が検出された場合は前記対象者の姿勢を示す情報を表示され、前記うつ伏せの状態が検出された場合は前記対象者の生命が危険な状態であることを示すアラート情報を出力されるように構成することを特徴とする睡眠チェックシステムにおける睡眠チェック方法。
【請求項８】
対象者の睡眠状態をチェックする睡眠チェックシステムに用いられ、前記対象者の身体の向きを表示部に表示させるための情報としての姿勢情報を取得する睡眠チェックセンサであって、  前記対象者に着脱可能な本体部を備え、第一の所定期間ごとに、所定の基準位置からの前記本体部の角度の情報を取得して該角度の情報に依存する前記対象者の身体の向きを検知する検知部を備え、 前記検知部は、身体の向きを示す姿勢データを収集し、姿勢情報を生成する収集部に、前記検知された対象者ごとの前記姿勢データを収集させて前記姿勢情報を生成させ、 前記姿勢情報に基づいて、前記対象者の身体の向きを表示部に表示させ、 前記表示部の前記表示において、前記収集部から収集した前記姿勢情報が、前記対象者の身体の向きがうつ伏せの状態とうつ伏せ以外の状態とであることを検出し、前記うつ伏せ以外の状態が検出された場合は前記対象者の姿勢を示す情報を表示させ、前記うつ伏せの状態が検出された場合は前記対象者の生命が危険な状態であることを示すアラート情報を出力させるように構成することを特徴とする睡眠チェックセンサ。
【請求項９】
コンピュータを、請求項１乃至６の何れか一つに記載の睡眠チェックシステムとして機能させることを特徴とする睡眠チェックプログラム。
【手続補正２】
【補正対象書類名】明細書
【補正対象項目名】発明の名称
【補正方法】変更
【補正の内容】
【発明の名称】睡眠チェックシステム、睡眠チェックセンサ、睡眠チェックプログラム及び睡眠チェック方法
【手続補正３】
【補正対象書類名】明細書
【補正対象項目名】０００９
【補正方法】変更
【補正の内容】
【０００９】  本発明に係る睡眠チェックシステムは、対象者の睡眠状態をチェックする睡眠チェックシステムであって、前記対象者に着脱可能な本体部を備え、第一の所定期間ごとに、所定の基準位置からの前記本体部の角度の情報を取得して該角度の情報に依存する前記対象者の身体の向きを検知する検知部と、前記検知部が検知した対象者の身体の向きを示す姿勢データを収集し、姿勢情報を生成する収集部と、前記姿勢情報に基づいて、前記対象者の身体の向きを表示する表示部と、を備え、前記表示部は、前記収集部から収集した前記姿勢情報が、前記対象者の身体の向きがうつ伏せの状態とうつ伏せ以外の状態とであることを検出し、前記うつ伏せ以外の状態が検出された場合は前記対象者の姿勢を示す情報を表示させ、前記うつ伏せの状態が検出された場合は前記対象者の生命が危険な状態であることを示すアラート情報を出力するように構成することを特徴とする。 また、本発明に係る睡眠チェックシステムは、複数の対象者の睡眠状態をチェックする睡眠チェックシステムであって、前記対象者に着脱可能な本体部を備えに取り付けられて、第一の所定期間ごとに、所定の基準位置からの前記本体部の角度の情報を取得して該角度の情報に依存する前記対象者の身体の向きを検知する検知部と、前記検知部が検知した対象者ごとの身体の向きを示す姿勢データを収集し、姿勢情報を生成する収集部と、前記姿勢情報に基づいて、前記対象者ごとの身体の向きを一括で表示する表示部と、を備え、前記表示部は、前記収集部から収集した前記姿勢情報が、前記対象者の身体の向きがうつ伏せの状態とうつ伏せ以外の状態とであることを検出し、前記うつ伏せ以外の状態が検出された場合は前記対象者の姿勢を示す情報を表示させ、前記うつ伏せの状態が検出された場合は前記対象者の生命が危険な状態であることを示すアラート情報を出力するように構成することを特徴とする。 また、本発明に係る睡眠チェックシステムは、対象者の睡眠状態をチェックする睡眠チェックシステムであって、前記対象者に着脱可能な本体部を備え、第一の所定期間ごとに、所定の基準位置からの前記本体部の角度の情報を取得して該角度の情報に依存する前記対象者の身体の向きを検知する検知部と、前記検知部が検知した対象者の身体の向きを示す姿勢データを収集し、姿勢情報を生成する収集部と、前記姿勢情報に基づいて、前記対象者の身体の向きを表示する表示部と、を備え、前記表示部は、前記収集部から収集した前記姿勢情報が、前記対象者の身体の向きがうつ伏せの状態とうつ伏せ以外の状態とであることを検出し、前記うつ伏せ以外の状態が検出された場合は前記対象者の姿勢を示す情報を表示させ、前記うつ伏せの状態が検出された場合は前記対象者の生命が危険な状態であることを示すアラート情報を出力するように構成され、前記表示部は、前記表示された対象者ごとの身体の向きに対して、一部又は全ての対象者の確認の入力を受け付けるために設けられた、操作入力部からの確認の入力を受け付けると、前記確認の入力がされた対象者の身体の向きの表示を変更する。
【手続補正４】
【補正対象書類名】明細書
【補正対象項目名】００１１
【補正方法】変更
【補正の内容】
【００１１】  さらに、本発明に係る睡眠チェックシステムは、第二の所定期間、前記収集された姿勢データを記憶する記憶部と、前記記憶された姿勢データに基づいて、前記対象者の第三の所定期間における寝返りの平均回数を算出する算出部と、前記対象者について、前記生成された姿勢情報が示す前記第三の所定期間における寝返りの回数と、前記算出された寝返りの平均回数と比較して、前記第三の所定期間において寝返りが多いか否かを判定する判定部と、をさらに備え、前記表示部は、寝返りの多いと判定された前記対象者の身体の向きの表示を変更してもよい。
【手続補正５】
【補正対象書類名】明細書
【補正対象項目名】００１２
【補正方法】変更
【補正の内容】
【００１２】  さらに、本発明に係る睡眠チェックシステムは、前記検知部は、第四の所定期間に前記対象者の体温を検知し、前記収集部は、前記検知部が検知した対象者の体温を示す温度データを収集し、体温情報を生成し、前記記憶部は、第二の所定期間、前記収集された温度データを記憶し、前記算出部は、前記対象者について、前記記憶された温度データに基づいて、第五の所定期間における平均体温を算出し、前記判定部は、前記対象者について、前記算出された平均体温と、前記生成された体温情報が示す体温とを比較して、前記第四の所定期間において体温が通常どおりか否かを判定し、前記表示部は、前記体温が通常どおりでないと判定された前記対象者の身体の向きの表示を変更する。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】  本発明に係る睡眠チェック方法は、対象者の睡眠状態をチェックする睡眠チェックシステムにおける睡眠チェック方法であって、前記対象者に着脱可能な本体部を備え、第一の所定期間ごとに、所定の基準位置からの前記本体部の角度の情報を取得して該角度の情報に依存する前記対象者の身体の向きを検知する検知部によって前記検知が行われる検知手順と、前記検知手順において検知された対象者の身体の向きを示す姿勢データを収集し、姿勢情報を生成する収集部において、前記姿勢データを収集し前記姿勢情報を生成する収集手順と、前記収集手順において取得された前記姿勢情報に基づいて、前記対象者の身体の向きを表示部に表示させる表示手順と、を備え、前記表示手順においては、前記収集手順において収集された前記姿勢情報が、前記対象者の身体の向きがうつ伏せの状態とうつ伏せ以外の状態とであることが検出され、前記うつ伏せ以外の状態が検出された場合は前記対象者の姿勢を示す情報を表示され、前記うつ伏せの状態が検出された場合は前記対象者の生命が危険な状態であることを示すアラート情報を出力されるように構成する。 本発明に係る睡眠チェックセンサは、対象者の睡眠状態をチェックする睡眠チェックシステムに用いられ、前記対象者の身体の向きを表示部に表示させるための情報としての姿勢情報を取得する睡眠チェックセンサであって、前記対象者に着脱可能な本体部を備え、第一の所定期間ごとに、所定の基準位置からの前記本体部の角度の情報を取得して該角度の情報に依存する前記対象者の身体の向きを検知する検知部を備え、前記検知部は、身体の向きを示す姿勢データを収集し、姿勢情報を生成する収集部に、前記検知された対象者ごとの前記姿勢データを収集させて前記姿勢情報を生成させ、前記姿勢情報に基づいて、前記対象者の身体の向きを表示部に表示させ、前記表示部の前記表示において、前記収集部から収集した前記姿勢情報が、前記対象者の身体の向きがうつ伏せの状態とうつ伏せ以外の状態とであることを検出し、前記うつ伏せ以外の状態が検出された場合は前記対象者の姿勢を示す情報を表示させ、前記うつ伏せの状態が検出された場合は前記対象者の生命が危険な状態であることを示すアラート情報を出力させるように構成する。
【手続補正９】
【補正対象書類名】明細書
【補正対象項目名】００１６
【補正方法】変更
【補正の内容】
【００１６】  本発明に係る睡眠チェックプログラムは、コンピュータを、請求項１乃至６の何れか一つに記載の睡眠チェックシステムとして機能させる。